(57)【要約】【課題】本発明は、隔離室の配膳用小扉に関し、従来の隔離室の配膳用小扉において、防音性能と強度とにおいてその性能が十分に発揮されていないことが課題であって、それを解決することである。【解決手段】精神科病院の隔離室における配膳用小扉の構造において、前記小扉の枠と扉との材質を防錆性能を有する金属製として、且つ、枠と扉との隙間にエアタイト材を介装させて気密性を付与するとともに扉内部に防音材を充填して防音性能を付与した隔離室の配膳用小扉１とする。【選択図】図１
2014135963.tif 000002
【特許請求の範囲】
【請求項１】
精神科病院の隔離室における配膳用小扉の構造において、
前記小扉の枠と扉との材質を防錆性能を有する金属製として、且つ、枠と扉との隙間にエアタイト材を介装させて気密性を付与するとともに扉内部に防音材を充填して防音性能を付与したこと、
を特徴とする隔離室の配膳用小扉。
【請求項２】
配膳用小扉の開口部において、隔離室の開口部の面積よりもオープンスペース側の開口部の面積が大きく形成されていること、
を特徴とする請求項１に記載の隔離室の配膳用小扉。
【請求項３】
オープンスペース側の開口部の形状は、隔離室の開口部に対して幅が同じで高さが高く設定されていること、
を特徴とする請求項２に記載の隔離室の配膳用小扉。
【発明の詳細な説明】
【技術分野】
【０００１】
本発明は、精神科病院における隔離室（保護室ともいう）の配膳用小扉の構造に関するものである。
【背景技術】
【０００２】
従来、精神科病院の隔離室は、患者が大声を上げたり、暴れたりするため、防音性能及び強度が必要となる。また、図５乃至図６に示すように、前記隔離室には、患者の食事を入れる専用の開口部が必要である。このような病院の施設に関する提案としては、特許文献１に記載されているように、感染症対応型の施設が知られているが、前記精神科病院の隔離室における開口部の仕様に関しては、特に先行例が見当たらない。
【先行技術文献】
【特許文献】
【０００３】
【特許文献１】特開２０１０−４７９４０号公報
【発明の概要】
【発明が解決しようとする課題】
【０００４】
図５乃至図６に示すように、前記隔離室の配膳用小扉１２には、従来では木製開口枠２に、ポリカーボネート製の戸１１を設けている。しかしながら、従来の隔離室の配膳用小扉１２においては、防音性能や強度が十分とは言いがたく、患者が暴れたりすると戸１１の取付け部分やストッパー１３等が、容易に破損するおそれがある。更に、ポリカーボネート製の戸１１であるので、防音効果がほとんど期待できないものである。本発明に係る隔離室の配膳用小扉は、このような課題を解決するために提案されたものである。
【課題を解決するための手段】
【０００５】
本発明に係る隔離室の配膳用小扉の上記課題を解決して目的を達成するための要旨は、精神科病院の隔離室における配膳用小扉の構造において、前記小扉の枠と扉との材質を防錆性能を有する金属製として、且つ、枠と扉との隙間にエアタイト材を介装させて気密性を付与するとともに扉内部に防音材を充填して防音性能を付与したことである。
【０００６】
前記配膳用小扉の開口部において、隔離室の開口部の面積よりもオープンスペース側の開口部の面積が大きく形成されていることである。更に、オープンスペース側の開口部の形状は、隔離室の開口部に対して幅が同じで高さが高く設定されていることを含むものである。
【発明の効果】
【０００７】
本発明に係る隔離室の配膳用小扉によれば、全体の強度が高く確保されて、患者が暴れた場合にも対応させることができる。また、患者が大声を出しても、枠と扉との隙間にエアタイト材を介装させて気密性を付与するとともに扉内部に防音材を充填してあるので、防音性能が発揮される。
また、オープンスペース側の開口部を隔離室側の開口部よりも大きな面積に形成したので、食事の出し入れが容易になる。
更に、前記オープンスペース側の開口部の面積が大きいのは、オープンスペース側の開口部の高さを高く設定して上部側を大きくしたことによるので、オープンスペース側から隔離室の床面を医師・看護師等が覗きやすくなり、のぞき窓として使用できるようになる、と言う数々の優れた効果を奏するものである。
【図面の簡単な説明】
【０００８】
【図１】本発明に係る隔離室の配膳用小扉１の正面図である。
【図２】同本発明の隔離室の配膳用小扉１の縦断面図である。
【図３】図２のＡ−Ａ線に沿った断面図である。
【図４】同本発明の隔離室の配膳用小扉１の位置を示す平面図である。
【図５】従来例に係る隔離室８の配膳用小扉の正面図（Ａ）と縦断面図（Ｂ）とである。
【図６】同従来例に係る隔離室８の配膳用小扉の横断面図である。
【発明を実施するための形態】
【０００９】
本発明に係る隔離室８の配膳用小扉１は、図１に示すように、金属製の枠２及び扉３にして大きくするとともに、防音性能も付与したものである。
【実施例１】
【００１０】
精神科病院の隔離室８における配膳用小扉１の構造における構造に関する発明である。図１乃至図３に示すように、前記小扉１の枠２と扉３との材質を防錆性能を有する金属製とする。この金属製材料としては、例えば、ステンレス製、鋼製とするものである。強度を向上させて、患者が暴れても容易に壊れないような丈夫なものにする。また、錆により劣化するのを防ぐために、防錆性能を有する金属材料にする。
【００１１】
更に、前記枠２と扉３との隙間に、ゴム製若しくは合成樹脂製のパッキンであるエアタイト材４を介装させて枠性能をセミエアタイト等にして、気密性を付与する。ヒンジで片開きの前記扉３の周囲において、例えば、図２乃至図３に示すように、扉３の下部と、枠２側の３箇所とにエアタイト材４をそれぞれ貼着して、防音する。
【００１２】
隔離室８内の患者が大声を出しても、周囲に騒音が漏れ出ないようにするためである。例えば、気密性能としてＴ−２級〜Ｔ−３級程度（音響透過損失約３０〜３５ｄＢ、中心周波数５００Ｈｚ）の遮音性能にする。
【００１３】
また、前記扉３内部に、例えば、密度が８０ｋｇ／ｍ３程度のグラスウール、ロックウール等の防音材５を充填して防音性能を付与する。防音性能の強化を図るものである。
【００１４】
図２に示すように、配膳用小扉１の開口部６，７において、隔離室８の開口部７の面積よりもオープンスペース９側の開口部６の面積が大きく形成されている。これは、前記オープンスペース９側の開口部６の形状は、隔離室８の開口部７に対して幅が同じで高さが高く設定されていることで、開口部６の面積を大きくしている。これにより、患者の食事を配膳する際に、食器類の出し入れが容易になるものである。
【００１５】
更に、開口部６の面積が上部側で大きいことで、医師や看護師等が隔離室８の内部を見るとき、その隔離室８の床面まで見ることができて、のぞき窓として使用できるようになる。患者の様子を見守り、その安全を図る上でも好ましく、且つ、便宜となる。
【産業上の利用可能性】
【００１６】
本発明に係る隔離室の配膳用小扉１は、精神科病院の他、保護施設や類似の施設などにおける、隔離室等の小部屋に広く適用できるものである。
【符号の説明】
【００１７】
１          小扉、
２          枠、
３          扉、
４          エアタイト材、
５          防音材、
６          オープンスペース側の開口部、
７          隔離室側の開口部、
８          隔離室、
９          オープンスペース、
１０        カウンター、
１１        戸、
１２        従来の小扉、
１３        ストッパー。
【図１】
2014135963.tif 000003
【図２】
2014135963.tif 000004
【図３】
2014135963.tif 000005
【図４】
2014135963.tif 000006
【図５】
2014135963.tif 000007
【図６】
2014135963.tif 000008